(57)【特許請求の範囲】
【請求項１】
外形形状が正面の縦方向と横方向に大きく、側面に当たる奥行き方向に小さい直方体をなし、前記横方向の外形寸法は295ｍｍであり、前記奥行き方向の外形寸法は140ｍｍであり、
正面に組付けられる正面カバーと背面に組付けられる背面カバーとが、
また、左右両側面の一方に組付けられる吸込口カバーと他方に組付けられる吹出口カバーと、がそれぞれ対をなす空気清浄機であって、
当該空気清浄機内部に、前記吸込口カバー側には順に、
プレフィルターと、
帯電フィルターと、
通風方向に所定の間隔をおいて配置された２枚の光触媒フィルターと、
該２枚の光触媒フィルターの間に配置された紫外線ランプと、が備わり、
前記吹出口カバー側には、
駆動モータ付き軸流ファンが備わり、
前記横方向に関して、前記光触媒フィルターの後方のフィルターと前記駆動モーター付き軸流ファンとの間隙を60ｍｍ以上として、前記吸込口カバーの吸込口から、前記吹出口カバーの吹出口まで、空気が前記横方向に直線状に流れ、通風騒音を小さくしたことを特徴とする空気清浄機。
【請求項２】
前記対をなした前記吸込口カバーと前記吹出口カバー、および前記正面カバーと前記背面カバーを射出成形する樹脂成形型の主要部がそれぞれ共通であることを特徴とする請求項１に記載の空気清浄機。
【請求項３】
上記２枚の光触媒フィルターのそれぞれが、酸化チタンに銀を担持させた触媒である光ギンテック（登録商標）を吸着させたフィルターであることを特徴とする請求項１または２に記載の空気清浄器。
【請求項４】
前記直方体の上面中央部に空気清浄機の作動を切換える複数のタクトスイッチに対応するキートップが設けられ、
該キートップは、突出した波型状の複数の指圧部と該指圧部の周囲のフランジ部を有するポリカーボネートシートの射出成形品からなり、
前記波型状の複数の指圧部の相互間とフランジ部にスリットが設けられ、該指圧部間のスリットと前記フランジ部に設けられたスリットとで、Ｈ状の複数のスリットが形成され、タクトスイッチの操作感を損なうことなく、該複数のタクトスイッチのＯＮ−ＯＦＦ操作がそれぞれ単独に可能であることを特徴とする請求項１乃至３のいずれか１に記載の空気清浄機。
【請求項５】
前記吸込口カバーと前記吹出口カバーが、第１ベースアッパーと第１ベースロアーに組付けされ、前記正面カバーと前記背面カバーとがそれぞれ、前記第１ベースアッパーと前記第１ベースロアーに組付けされるものであり、
前記正面カバー上部に設けられた係止爪を、前記第１ベースアッパーに設けられた溝付き係止孔に挿入し、該正面カバーを横方向にスライドさせて前記係止爪を前記係止孔の溝に係止した後に、前記正面カバー下部を前記第１ベースロアにビスで締上げ、
同様に、前記背面カバー上部に設けられた係止爪を、前記第１ベースアッパーに設けられた溝付き係止孔に挿入し、該背面カバーを横方向にスライドさせて前記係止爪を前記係止孔の溝に係止した後に、前記背面カバー下部を前記第１ベースロアにビスで締上げ、
前記正面カバーと前記背面カバーとが、前記第１ベースアッパーと前記第１ベースロアから離脱することがなく、かつ空気清浄機本体の上面に加わる上下力を、前記正面カバーと前記背面カバーによって分担されることを特徴とする請求項１乃至４のいずれか１に記載の空気清浄機。
【発明の詳細な説明】
【技術分野】
【０００１】
この発明は、小型で、空気浄化性能が高く、低騒音で、設置場所の自由度が高く汎用性があり、特にワンボックスカーやツーボックスカーへの車載性に優れた空気清浄機に関する。
【背景技術】
【０００２】
従来より、塵埃の吸着・濾過、除菌、脱臭等を行う車載用、家庭・オフィス用等各種の空気清浄機が広く使用されている。
【０００３】
特に、車両用としては、下記特許文献２に示されたセダン型乗用車のトランクルームに空気清浄機の本体を格納し、パッケージトリムの上方から浄化された空気を吹出す形式のもの、下記特許文献３に示されたルーフの下部に空気清浄器の本体を格納し、ルーフトリムの開口に位置する吹出し口から浄化された空気を吹出す形式のもの、下記特許文献４に示されたサイドアウターパネルとインナーパネルの間に空気清浄器の本体を格納し、サイドトリムの開口に位置する吹出口から浄化された空気を吹出す形式のもの、更に下記特許文献５に示された空調機の空気取入れ口に空気清浄ユニットを組込み、浄化された空気を空調機によって温度調整して吹出す空調機併用の形式のものがある。
【０００４】
図１５は引用文献１に示された空気清浄機の斜視図、図１６は図１５の平面視断面図である。この空気清浄機２００は、複数の長孔からなる吸気孔２１１を有する正面カバー２１０と、その背面に位置する背面カバー２２０と、複数の長孔からなる吸気孔２４１、２５１を有する左右の側面カバー２４０、２５０と、複数の格子状の吹出口２３０Ａと表示部２３１を有する上面カバー２３０とで、略直方体状のケース組立体が構成され、正面カバー２１０の吸気孔２１１と左右の側面カバー２４０、２５０の吸気孔２４１、２５１とで吸気口２１０Ａが形成されている。そして、ケースの内部にフィルター収納部２６１、ファンケーシング部２６２、立設部２６３を有し、フィルタ２８０、モータ（２７１）付きファン２７０を格納する仕切板２６０が、組込まれている。奥行きを高さに対して小さく形成し、吸気口２１０Ａから吸い込んだ空気を浄化して、吹出口２３０Ａからケースの外に吹出ようにした空気清浄機が示されている。
【特許文献１】特開２００３−６５５７２号公報
【特許文献２】特開２０００−０００２９３号公報
【特許文献３】特開２００６−２０５９３７号公報
【特許文献４】特開平１１−０３４６５４号公報
【特許文献５】特開平０８−１９２６２３号公報
【発明の開示】
【発明が解決しようとする課題】
【０００５】
しかしながら、引用文献３乃至６に示された車載用の空気清浄機は、いわゆるビルトインタイプであって、車両を購入後に装着しようとしても、装着不能であるか、関連する部品を改修するか交換する必要があり、大幅な時間と費用を必要とし、またスペース上の理由から大きさおよび構造が制約を受け、十分な性能を確保することが困難であった。
【０００６】
また、引用文献１に示されている空気清浄機は、略直方体状の形状であるから、家庭やオフィスに設置する場合取付け位置の制約が少なく、車載の場合においても関連する部品の改修・交換が不要という長所があるものの、前面及び両側面の吸気孔で構成される吸気口２１０Ａから上面に位置する吹出口２３０Ａまで、通風路が直角に曲がっているため、通風抵抗が大きく、ひいては騒音が大きくなり、フィルタ等の空気浄化に密接な部品に必要な通風方向の寸法が小さくなり、高い空気浄化性能を得るのが困難になるという問題があった。
【０００７】
本発明は、係る点に着目して鋭意研究の結果なされたものであり、空気浄化性能が高く、低騒音で、家庭・オフィス等における設置場所の自由度が高く、特に室内容量が大きいワンボックスカーやツーボックスカーにおいて、購入後に搭載が容易で安価な空気清浄機の提供を可能としている。
【課題を解決するための手段】
【０００８】
上記の課題を解決する第１の発明は、外形形状が正面の縦方向と横方向に大きく、側面に当たる奥行き方向に小さい直方体をなし、横方向の外形寸法は295ｍｍであり、奥行き方向の外形寸法は140ｍｍであり正面に組付けられる正面カバーと背面に組付けられる背面カバーとが、また、左右両側面の一方に組付けられる吸込口カバーと他方に組付けられる吹出口カバーと、がそれぞれ対をなす空気清浄機であって、当該空気清浄機内部に、吸込口カバー側には順に、プレフィルターと、帯電フィルターと、通風方向に所定の間隔をおいて配置された２枚の光触媒フィルターと、２枚の光触媒フィルターの間に配置された紫外線ランプと、が備わり、吹出口カバー側には、駆動モータ付き軸流ファンが備わり、横方向に関して、光触媒フィルターの後方のフィルターと駆動モーター付き軸流ファンとの間隙を60ｍｍ以上として、吸込口カバーの吸込口から、吹出口カバーの吹出口まで、空気が横方向に直線状に流れ、通風騒音を小さくしたことを特徴とする。
【０００９】
前記フィルター、紫外線ランプの駆動モータ付き軸流ファンの個数は１以上であればよく、特に制限されない。
【００１０】
第２の発明は、第１の発明において、前記対をなした前記吸込口カバーと前記吹出口カバー、および前記正面カバーと前記背面カバーを射出成形する樹脂成形型の主要部がそれぞれ共通であることを特徴とする空気清浄機である。
【００１１】
樹脂の種類は、ＡＢＳ、ノリル等成形歪みの小さいものを使用するのが好ましい
第３の発明は、第１または第２の発明において、上記２枚の光触媒フィルターのそれぞれが、酸化チタンに銀を担持させた触媒である光ギンテック（登録商標）を吸着させたフィルターであることを特徴とする空気清浄器である。
【００１２】
第４の発明は、第１乃至第３の発明において、前記直方体の上面中央部に空気清浄機の作動を切換える複数のタクトスイッチに対応するキートップが設けられ、該キートップは、突出した波型状の複数の指圧部と該指圧部の周囲のフランジ部を有するポリカーボネートシートの射出成形品からなり、前記波型状の複数の指圧部の相互間とフランジ部にスリットが設けられ、該指圧部間のスリットと前記フランジ部に設けられたスリットとで、略Ｈ状の複数のスリットが形成され、タクトスイッチの操作感を損なうことなく、該複数のタクトスイッチのＯＮ−ＯＦＦ操作がそれぞれ単独に可能であることを特徴とする空気清浄機である。
【００１３】
第５の発明は、第１乃至第４の発明において、前記吸込口カバーと前記吹出口カバーが、第１ベースアッパーと第１ベースロアーに組付けされ、前記正面カバーと前記背面カバーとがそれぞれ、前記第１ベースアッパーと前記第１ベースロアーに組付けされるものであり、前記正面カバー上部に設けられた係止爪を、前記第１ベースアッパーに設けられた溝付き係止孔に挿入し、該正面カバーを横方向にスライドさせて前記係止爪を前記係止孔の溝に係止した後に、前記正面カバー下部を前記第１ベースロアにビスで締上げ、同様に、前記背面カバー上部に設けられた係止爪を、前記第１ベースアッパーに設けられた溝付き係止孔に挿入し、該背面カバーを横方向にスライドさせて前記係止爪を前記係止孔の溝に係止した後に、前記背面カバー下部を前記第１ベースロアにビスで締上げ、前記正面カバーと前記背面カバーとが、前記第１ベースアッパーと前記第１ベースロアから離脱することがなく、かつ前記空気清浄機の上面に加わる上下力を、前記正面カバーと前記背面カバーによって分担されることを特徴とする空気清浄機である。
【発明の効果】
【００１４】
第１の発明は、外形形状が正面の縦方向と横方向に大きく、側面に当たる奥行き方向に小さい略直方体をなし、正面に組付けられる正面カバーと背面に組付けられる背面カバーとが、また左右両側面の一方に組付けられる吸込口カバーと他方に組付けられる吹出口カバーと、がそれぞれ対をなし、内部に、前記吸込口カバー側から順に、プレフィルターと、帯電フィルターと、通風方向に所定の間隔をおいて配置された２枚の光触媒フィルターと、該２枚の光触媒フィルターの間に配置された紫外線ランプと、駆動モータ付き軸流ファンと、を格納した空気清浄機であり、前記吸込口カバーの空気吸込口から、前記吹出口カバーの吹出口まで、空気が左右方向に略直線状に流れ、かつ前記通風方向下流側の光触媒フィルターと駆動モータ付き軸流ファンとの間隙を大きくした空気清浄機であるから、通風抵抗が小さく通風量が多くなって、空気浄化性能が高く、また通風騒音を小さくすることができる。
【００１５】
また、第２の発明は、第１の発明において、前記対をなした前記吸込口カバーと前記吹出口カバー、および前記正面カバーと前記背面カバーを射出成形する樹脂成形型の主要部がそれぞれ共通であることを特徴とする空気清浄機であるから、製造費用の多くを占める樹脂成形型の製作費を低減して、空気清浄機のコストを低減できる。
【００１６】
また、本空気清浄機は、軸流ファンを使用しているので、シロッコファンに比較して、風量が大きいが、風圧が低いので、寒冷時においても、吹出空気による寒さが緩和されるという効果がある。
【００１７】
また、第３の発明は、第１または第２の発明において、上記２枚の光触媒フィルターのそれぞれが、酸化チタンに銀を担持させた触媒である光ギンテック（登録商標）を吸着させたフィルターであるから、高い脱臭・除菌性能を得ることができ、プレフィルター、帯電フィルターによる除塵性能と相俟って高い空気浄化性能を有する空気清浄機を得ことができる。
【００１８】
第４の発明は、第１乃至第３の発明において、前記ケース組立体の上面中央部に備えられた複数の操作スイッチに対応する複数の連接されたキートップが、突出した波型状の複数の指圧部と該指圧部の周囲の平板部からなるポリカーボネートシートの射出成形品であり、前記波型状の複数の指圧部の相互間にスリットが設けられ、該指圧部間のスリットと、前記平板部に設けられたスリットとで、略Ｈ状の複数のスリットが形成されたものであるから、タクトスイッチの操作感を損なうことのなく、該複数のタクトスイッチのＯＮ−ＯＦＦ操作がそれぞれ単独に可能であり、スイッチの良好な操作感と見映えの良い外観品質を得ることができる。
【００１９】
また、第５の発明は、第１乃至第４の発明において、前記吸込口カバーと前記吹出口カバーが、第１ベースアッパーと第１ベースロアーに組付けされ、前記正面カバーと前記背面カバーとがそれぞれ、前記第１ベースアッパーと前記第１ベースロアーに組付けされるものであり、前記正面カバー上部に設けられた係止爪を、前記第１ベースアッパーに設けられた溝付き係止孔に挿入し、該正面カバーを横方向にスライドさせて前記係止爪を前記係止孔の溝に係止した後に、前記正面カバー下部を前記第１ベースロアにビスで締上げ、同様に、前記背面カバー上部に設けられた係止爪を、前記第１ベースアッパーに設けられた溝付き係止孔に挿入し、該背面カバーを横方向にスライドさせて前記係止爪を前記係止孔の溝に係止した後に、前記背面カバー下部を前記第１ベースロアにビスで締上げた空気清浄機であるから、前記正面カバーと前記背面カバーとが、前記第１ベースアッパーと前記第１ベースロアから離脱することがなく、かつ前記空気清浄機の上面に加わる上下力を、前記正面カバーと前記背面カバーによって分担することができ、空気清浄機の強度・剛性を高めることができる。
【発明を実施するための最良の形態】
【００２０】
以下、本発明の実施の形態を図面に基づいて説明する。
【００２１】
図１は本発明の実施の形態に係る空気清浄機の斜視図、図２は本発明の実施の形態に係る空気清浄機（内部の構成部品省略）の分解斜視図、図３は図２の更なる分解斜視図である。
【００２２】
図１乃至図３において、１００は空気清浄機、１０は正面カバー、２０は背面カバー、３０は空気吸込口を備える吸込口カバー、４０は空気吹出口を備える吹出口カバーでありいずれも樹脂の射出成形品である。
【００２３】
正面カバー１０と、背面カバー２０は、樹脂の成形型を共通にし、略平板かつコの字状をなし上部平面にはその裏側から下方に延びる係止爪１１、２１(図９参照)が設けられ、下部平面にはビス用の孔１２、２２が設けられている。          
【００２４】
吸込口カバー３０は長方形の外枠とその中央において上下方向に伸びるリブ３１とで骨格が形成され、該上下方向に伸びるリブ３３で水平方向が分割されるように複数のフィン３１が上下方向に平行に配置されており、上下の枠にはビスねじ込み用の孔３２が設けられている。
【００２５】
吹出口カバー４０も吸込口カバー３０と同様に、長方形の外枠とその中央において上下方向に伸びるリブ４３とで骨格が形成され、該上下方向に伸びるリブ４３で水平方向が分割されるように複数のフィン４１が上下方向に平行に配置されており、上下の枠にはビスねじ込み用の孔４２が設けられている。吹出口カバー４０には、その他ファンブラケットビス止め用ネジ孔付きボス４７と外部電源ジャック用孔４６が設けられているが、この点を除いて吸込口カバー３０と吹出口カバー４０とは共通であり、この相違する部分を入れ子型として成形型の主要部を共通にしている。
【００２６】
５０は第１ベースアッパー、６０は第１ベースロアーであり、それぞれ両端には吸込口カバー３０と吹出口カバー４０が、ビスで締付け固定され、第１ベースアッパー５０と第１ベースロアー６０に、正面カバー１０と背面カバー２０が組付けられる。
【００２７】
第１ベースアッパー、ロア５０、６０と、正面カバー１０と、背面カバー２０はいずれも樹脂の射出成形品である。なお第１ベースロアの６４は補強用のリブである。
【００２８】
図４は、図１におけるＡ−Ａ断面図であり、左側の吸込口カバー３０から、右側の吹出
口カバー４０に至る空気清浄機の内部構造を示しており、左側からＡはプレフィルター、Ｂは帯電フィルター、Ｄは２枚の光触媒フィルター、Ｃは２枚の光触媒フィルターＤの間において手前側と奥側に配置される２本の紫外線ランプ、９０はモータ＆ファンであり、上下に２機備えられている。Ｅはタクトスイッチや表示ランプ等が回路基板に実装されたスイッチ部品、Ｇは粉塵センサーである。
【００２９】
Ｉは２枚の光触媒フィルターのうち、通風方向下流側の光触媒フィルターＤとモータ＆ファン（軸流ファン）９０との間隙を示しており、軸流ファンによる通風騒音を小さくするために、限られた許容寸法の範囲内で可能な限り大きくしている。
【００３０】
図５は、図４におけるＢ−Ｂ断面図であり、紫外線ランプＣおよびスイッチ部品部の断面を表示し、図６は、第２ベース組立体の分解斜視図であり、紫外線ランプＣの第２ベースアッパー７０と第２ベースロア８０への組付けを説明するものである。紫外線ランプＣは、上下端部よりハーネスＣ１が引き出され、ハーネスＣ１の端部には不図示のコネクタが取付けられており、昇圧器、回路基板Ｅ２を介して外部電源に接続されている（不図示）。なお、不図示のコネクタは、紫外線ランプＣの上下端部より引き出されたハーネスＣ１（２本）を1つにまとめ、昇圧器上の相手コネクタとの嵌合により電気接続されている。
【００３１】
２本の紫外線ランプＣの外側に２本のランプステイＨが配置され、そのランプステイＨの上下端が、それぞれ第２ベースアッパー７０と第２ベースロア８０へビス７６、８６でビス止めされ、第２ベース組立体が完成し、この第２ベース組立体は第２ベースアッパー、ロア７０、８０の先端部の上下の係止突起７５、８５が吸込口カバー３０の裏面の凹部３４に挿入され、吸込口カバーの上下のリブ３５（図３の吹出口カバーのリブ４５参照）を第２ベース組付体側の第２ベースアッパー、ロアの溝７５１、８５１に挿入されており、第２ベースロア８０は、ビス６６（３本）で第１ベースロア６０にビス止めされている。          
【００３２】
図７は本発明の実施の形態に係るキートップを示し、（Ａ）は斜視図、（Ｂ）は拡大断面図である。図７において、キートップＦは、突出した波型状の複数の指圧部Ｆ３１と該指圧部の周囲のフランジ部Ｆ３２からなり、裏面部は肉抜部Ｆ３５が設けられたポリカーボネートシートの射出成形品である。この波型状の複数の指圧部Ｆ３１の相互間にスリットＦ３４が設けられ、かつこの指圧部間のスリットと、前記フランジ部に設けられたスリットとで、略Ｈ状のスリットが複数形成され、タクトスイッチＥ１の操作感を損なうことのなく、該複数のタクトスイッチのＯＮ−ＯＦＦ操作がそれぞれ単独に可能である。
【００３３】
スイッチ部品Ｅは、タクトスイッチＥ１、空気清浄機の作動状態を示す表示ランプ（ＬＥＤ）Ｅ３の実装された回路基板Ｅ２が第１ベースアッパー５０の下面にビスＥ４でビス止めされ、表示ランプＥ３は、第１ベースアッパーの孔５５から表示光を発し、粉塵センサーＧは、第１ベースアッパーの下面の筒状凹部５７に嵌着され、孔５６から外気を取入れている。    
【００３４】
キートップＦは、フランジ部Ｆ３２に貼着した両面接着テープＦ３６で第１ベースアッパー５０の下面に貼着され、孔５４から、指圧部が突出している。
【００３５】
図８は、モータ＆ファンの分解斜視図であり、モータ９２に取付けられた軸流ファン
９１がファンケース９３に格納されており、そのファンケース９３に格納されたモータ＆ファン９０の２機がボルト９５と袋ナト９６でファンブラケット９４に固定され、この２機のモータ＆ファンはファンブラケット９４を介して、ビス９７で吹出口カバー４０にビス止めされ、吹出口組立体が完成している。
【００３６】
図９は、正面カバーと第１ベースアッパーとロアの組付説明図であり、（Ａ）は上部側斜視図、（Ｂ）が底部側斜視図である。
【００３７】
図９において、正面カバー上部裏面に設けられた係止爪１１を、第１ベースアッパー５０に設けられた係止孔５１に挿入し、該正面カバーを横方向（矢印方向）にスライドさせて溝５１１に係止した後に、正面カバー下部を第１ベースロア６０にビス１３で締上げる。
【００３８】
同様に、背面カバー上部に設けられた係止爪２１（不図示）を、第１ベースアッパー５０に設けられた係止孔５１に挿入し、背面カバー２０を横方向にスライドさせて溝５１１に係止した後に、背面カバー下部を前記第１ベースロア６０にビス２３で締上げる。  
【００３９】
この締め上げによって、係止爪１１、２１の受け面１１１、２１１が、第１ベースアッパーの溝部の裏面と当接し、空気清浄機の上面に加わる上下力を、前記正面カバー１０と前記背面カバー２０が分担することになりケース本体の上下方向の強度・剛性が向上する。
【００４０】
次に、本発明の実施の形態に係る主要部の組付け手順について説明する。
【００４１】
(手順1) 紫外線ランプＣの上下端部を、それぞれ第２ベースアッパー７０と第２ベースロア８０に設けられた凹部７４１、８４１へ嵌挿入し、２本の紫外線ランプＣの外側に２本のランプステイＨを配置し、そのランプステイＨの上下端を、それぞれ第２ベースアッパー７０と第２ベースロア８０へビス７６、８６でビス止めして第２ベース組立体を完成する。
【００４２】
（手順2）ファンケース９３内に格納されたモータ＆ファン９０の２機を、ボルト９５と袋ナット９６とで、ファンブラケット９４に固定し、その２機のモータ＆ファン９０をファンブラケット９４を介して吹出口カバー４０にビス９７でビス止めして、吹出口カバー組立体を完成する。
【００４３】
(手順3) 第１ベースアッパー５０に、タクトスイッチＥ１、表示ランプＥ３等の実装された回路基板Ｅ２からなるスイッチ部品ＥとキートップＦを組付け、第１ベースアッパー組立体を完成する。
【００４４】
キートップＦは、フランジ部Ｆ３２に貼着された両面接着テープＦ３６を使用し、ロケート用の孔Ｆ３３と、第ベースアッパー５０の下面に設けられたロケートピン（不図示）とで位置決めの上、第１ベースアッパー５０の下面に接着固定する。
【００４５】
(手順4) 手順３で完成させた第１ベースアッパーの組立体と第１ベースロア６０の間に手順（１）で完成させた第２ベース組立体を載置してビス６６（３本）でビス止めして、第１ベース組立体を完成する。
【００４６】
(手順5) 手順４で完成させた、第１ベース組立体に吸込口カバー３０と手順２で完成させた吹出口カバー組立体を組付ける。
【００４７】
まず吸込口カバー３０の組付けは、第２ベース組立体の第２ベースアッパー、ロア７０、８０の先端部の上下の係止突起７５、８５を吸込口カバー３０の裏面の凹部３４に挿入し、吸込口カバーの上下のリブ３５（吹出口カバーのリブ４５参照）を第２ベース組立体側の溝７５１、８５１に挿入し、それぞれ上下のビス５３、６５でビス止めする。
【００４８】
吹出口カバー組立体の組付けは、第１ベースアッパー、ロアの上下の孔５２、６１と吹出口カバー４０の上下の孔４２を位置合わせし、それぞれ上下のビス５３、６５でビス止めする。その後背面カバー２０を後述の正面カバー１０の組付けと同じ要領で組付けする。
【００４９】
(手順6) 次に、正面カバー１０の未組付けの開口部の前方から、吸込口カバー３０と第２ベース組立体との隙間に第１プレフィルターＡを挿入し、続けて凹部７１、８１に帯電フィルターＢを、凹部７２、８２と、凹部７３、８３に２枚の光触媒フィルターＤを、挿入して、すべてのフィルターを装着する。
【００５０】
(手順7) 最後に、正面カバー１０を組付ける。
【００５１】
正面カバー１０の組付けは、第１ベースアッパー５０の係止孔５１に正面カバー１０の係止爪１１を挿入し右方向（矢印方向）にスライドさせて、係止爪１１を溝５１１に完全に係止させた後、ビス孔１２と第１ベースロア６０のボス６３のネジ孔を使用して、ビス１３で締上げる。なお、手順５における背面カバー２０の組付けも正面カバー１０の組付けに準じた手順で行う。
【００５２】
上記の手順はこれに限定されるものではない、例えば手順１乃至３は順番を差換えても
よい。また分解は上記の手順と逆に行なえばよい。
【００５３】
次に、本空気清浄機の動作について説明する。作動状態にスイッチがＯＮされると、上
下２機の軸流フアンが回転し、空気吸込口カバー３０の吸込口から空気が吸い込まれ、プレフィルターＡで、大きい塵埃が除去され、帯電フィルターＢで、プレフィルターＡで除去されなかった小さい塵埃が除去され、次に紫外線ランプＣの光エネルギーで除菌・脱臭機能の高められた２枚の光触媒フィルターＤで除菌・脱臭され、空隙Ｉを通過し軸流ファン９０を通って吹出口カバー４０の吹出口から清浄化された空気が吹出される。
【００５４】
次に、本空気清浄機を車載する場合について説明する。図１０は本発明の実施例に係る空気清浄機の車載説明図であり、一例を示している。運転席Ｊと助手席Ｋの間に、吸込口を車両前方にし、吹出口を車両後方にして設置する。車両への固定は、空気清浄機の底面を、準備したブラケットＬに両面接着テープで固定し、ブラケットＬを介して空気清浄機を車両パネルにビスＬ１でビス止めする。上記と同様の両面接着テープ、ブラケット、ビスを使用して後席シートの後部スペースに設置してもよい。本空気清浄機は、空気浄化性能が高いので、ワンボックスカー、ツーボックスカーに車載する場合、特に効果が大きい。
【００５５】
また、本空気清浄機は、空気が吸込口から吹出口へ略直線状に流れるので、家庭、オフィスの床面に設置する場合、空気の流れが阻害されることがなく、壁面に密接するように設置でき、スペース効率が高く、また、壁や天井に設置することも容易である。
【実施例】
【００５６】
次に、実施例により、本発明をより詳細に説明する。
１）実施例に係る空気清浄機の諸元      
(1) 空気清浄機
外形サイズ
横(L)×縦（H）×奥行(D)＝２９５ｍｍ×３０５ｍｍ×１４０ｍｍ
下流側の光触媒フィルターとモータ＆ファンまでの間隙(Ｉ)＝６０ｍｍ
(2) プレフィルター
フィルター形式：ハニカムフィルター
サイズ
縦×横×厚さ＝２５５ｍｍ×１３０ｍｍ×３ｍｍ
(3）帯電フィルター
フィルター形式：帯電繊維層フィルター
縦×横×厚さ＝２５０ｍｍ×１３０ｍｍ×５０ｍｍ
(4）光触媒フィルター
フィルター形式    光ギンテック触媒フィルター
サイズ
縦×横×厚さ＝２５０ｍｍ×１３０ｍｍ×１０ｍｍ  ２枚
(5）紫外線ランプ
発生波長    ３６８ｎｍ
Ｗ数×本数＝２.９Ｗ×２本
(6)モータ＆ファン
モータ  １２Ｖ×８.６Ｗ（定格）×２機    
ファン  軸流ファン                
直径(D)×厚さ(B)＝１２０ｍｍ×３８ｍｍ
２）性能
(1) 脱臭率と除塵率
図１１に、本実施例に係る空気清浄機の運転開始後のアセトアルデヒドの吸収率（％）を比較例と対比したグラフであり、図１２は本実施例に係る空気清浄機の運転開始後の直径０.３μｍ粒子の除塵率を比較例と対比したグラフである。脱臭率及び除塵率共に容量１ｍ３の測定用のボックスを用い測定した値を示している。
【００５７】
表１は、図１１、図１２に示された脱臭率、除塵率の運転開始２分後の値を比較例と対比して表示したものである。
【００５８】
実施例は比較例１乃至３と比べて空気清浄機の外形寸法、消費電力が大きいので、直接比較はできないが、脱臭率は外形寸法、消費電力が大きい以上に遥かに良好な値となっている。
【００５９】
一方、除塵率は、空気清浄機の外形寸法、消費電力が大きい割りには大きくなっていない。これは、プレフィルターと帯電フィルターを、実施例の空気清浄機の外形寸法、消費電力の範囲内において、強化することによって良好な値になるものと考えられる。
【００６０】
また、本実施例に係る空気清浄機の奥行き寸法は１４０ｍｍであり、本実施例に係る空気清浄機は、運転席と助手席の間の間隙を有効に使用した空気清浄機となっている。
【００６１】
(2) 騒音と風量
図１３に光触媒フィルターとモータ＆ファンの間隙Ｉをパラメータと運転モードごとの騒音レベル（Ａスケール）を、空気清浄機の吹出口から１ｍのところで測定した値を示し、図１４に光触媒フィルターとモータ＆ファンの間隙Ｉをパラメータとした運転モードごとの吹出し風量を測定した値を示している。間隙Ｉを大きくした方が、騒音が小さくなり、風量も多くなっていることが分かる。
【００６２】
本発明は、空気清浄機のケースの通風方向の寸法を大きくして、通風方向下流の光触媒フィルターとモータ＆ファンの間隙Ｉを６０ｍｍとし、限られた許容寸法の範囲内で可能な限り大きくしているが、間隙Ｉを大きくすることの有効性が、図１３、図１４のデータから明らかである。
【００６３】
【表１】
0004964796.tif 000002
【図面の簡単な説明】
【００６４】
【図１】本発明の実施の形態に係る空気清浄機の斜視図である。
【図２】本発明の実施の形態に係る空気清浄機（内部の構成部品省略）の分解斜視図である。
【図３】図２の更なる分解斜視図である。
【図４】図１におけるＡ−Ａ断面図である。
【図５】図４におけるＢ−Ｂ断面図である。
【図６】本発明の実施の形態に係る第２ベース組立体の分解斜視図である。
【図７】本発明の実施の形態に係るキートップを示し、（Ａ）は斜視図、（Ｂ）は拡大断面図である。
【図８】本発明の実施の形態に係るモータ＆ファンの組立体の分解斜視図である。
【図９】正面カバーを第１ベースアッパーとロアの組付説明図であり、（Ａ）は上部側の斜視図、（Ｂ）は底部側の斜視図である。
【図１０】本発明の実施例に係る空気清浄機の車載説明図である。
【図１１】本発明の実施例係る空気清浄機の脱臭性能を示すグラフである。
【図１２】本発明の実施例に係る空気清浄機の除塵性能を示すグラフである。
【図１３】本発明の実施例に係る空気清浄機の騒音を示すグラフである。
【図１４】本発明の実施例に係る空気清浄機の風量を示すグラフである。
【図１５】従来の空気清浄機の斜視図である。
【図１６】図１５における平面視断面図である。
【符号の説明】
【００６５】
１００・・空気清浄機
１０・・正面カバー
１１・・係止爪  
１１１・・受け面
１２・・孔（ビス用）
１３・・ビス
２０・・背面カバー
２１・・係止爪  
２１１・・受け面
２２・・孔（ビス用）
２３・・ビス
３０・・吸込口カバー
３１・・フィン
３２・・孔（ビスねじ込み用、第１ベースアッパー、ロア取付け用）
３３・・リブ（センター）
３４・・凹部（第２ベースアッパー、ロアの係止突起75,85が挿入）  
３５・・リブ（第２ベースアッパー、ロアの溝751,851に挿入）
４０・・吹出口カバー
４１・・フィン
４２・・孔（ビスねじ込み用、第１ベースアッパー、ロア取付け用）
４３・・リブ（センター）  
４４・・凹部（34に対応）    
４５・・リブ（35に対応）
４６・・孔（電源ジャック用）
４７・・ボス（ネジ孔付き、ファンブラケット取付け用）
５０・・第１ベースアッパー
５１・・係止孔
５１１・・溝
５２・・孔（ビス53用）
５３・・ビス（吸込口カバー、吹出口カバーとの固定用）
５４・・孔（キートップＦ取付け用）
５５・・孔（表示ランプＥ３用）
５６・・孔（ダストセンサ用空気取入れ口）
５７・・筒状凹部（ダストセンサ取付け用）
６０・・第１ベースロア
６１・・孔(ビス65用）
６２・・ボス（ネジ孔付き、第２ベースロア固定用）
６３・・ボス（ネジ孔付き、正面カバー、背面カバー取付け用）
６４・・リブ（補強）
６５・・ビス（第１ベースロアと吸込口カバー・吹出口カバーとの固定用）
６６・・ビス（第２ベース組立体固定用）
７０・・第２ベースアッパー
７１・・凹部（帯電フィルター取付け）
７２・・凹部（光触媒フィルター取付け）
７３・・凹部（光触媒フィルター取付け）
７４・・凸部（紫外線ランプ取付け部）
７４１・・凹部(841と対）
７５・・係止突起
７５１・・溝(吸込口カバーのリブ35が挿入)
７６・・ビス（ランプステイ固定用）
８０・・第２ベースロア
８１・・凹部（帯電フィルター取付け）
８２・・凹部（光触媒フィルター取付け）
８３・・凹部（光触媒フィルター取付け）
８４・・凸部（紫外線ランプ取付け部）
８４１・・凹部
８５・・係止突起
８５１・・溝(吸込口カバーのリブ35挿入)
８６・・ビス（ランプステイ固定用）
９０・・モータ＆ファン
９１・・フアン  
９２・・モータ
９３・・ファンケース
９４・・ファンブラケット
９５・・ボルト
９６・・袋ナット
９７・・ビス（ファンブラケット取付け用）
Ａ・・プレフィルター
Ｂ・・帯電フィルター
Ｃ・・紫外線ランプ
Ｃ１・・ハーネス
Ｄ・・光（光ギンテック）触媒フィルター
Ｅ・・スイッチ部品
Ｅ１・・タクトスイッチ
Ｅ２・・回路基板
Ｅ３・・表示ランプ
Ｅ４・・ビス  
Ｆ・・キートップ
Ｆ３１・・指圧部（接圧部）
Ｆ３２・・フランジ部
Ｆ３３・・ロケート孔
Ｆ３４・・スリット
Ｆ３５・・肉抜き部
Ｆ３６・・両面接着テープ
Ｇ・・粉塵センサー
Ｈ・・ランプステイ
Ｉ・・間隙
Ｊ・・運転席
Ｋ・・助手席
Ｌ・・ブラケット
Ｌ１・・ビス
【図１】
0004964796.tif 000003
【図２】
0004964796.tif 000004
【図３】
0004964796.tif 000005
【図４】
0004964796.tif 000006
【図５】
0004964796.tif 000007
【図６】
0004964796.tif 000008
【図７】
0004964796.tif 000009
【図８】
0004964796.tif 000010
【図９】
0004964796.tif 000011
【図１０】
0004964796.tif 000012
【図１１】
0004964796.tif 000013
【図１２】
0004964796.tif 000014
【図１３】
0004964796.tif 000015
【図１４】
0004964796.tif 000016
【図１５】
0004964796.tif 000017
【図１６】
0004964796.tif 000018